(57)【要約】    【課題】  本発明は、著作権料金を課金することができる画像形成装置装置を提供する。    【解決手段】  複写機１００は、ＣＰＵ４１と、スキャナ部４８とを備え、スキャナ部４８により読み取られた画像の所定位置から当該画像に設定された著作権情報を取得し、ＣＰＵ４１により、取得された著作権情報に基づいて、スキャナ部４８により読み取られた画像の複写に対する著作権料金及び複写料金を算出して表示し、算出された著作権料金及び複写料金を課金する。【選択図】      図４
2006189931.tif 000002
【特許請求の範囲】
【請求項１】
所定の解像度で画像を読み取る読み取り手段と、
前記読み取られた画像の所定位置から当該画像に設定された著作権情報を取得する取得手段と、
前記取得された著作権情報に基づいて、前記読み取られた画像の複写に対する著作権料金及び複写料金を算出して表示する料金表示手段と、
前記算出された著作権料金及び複写料金を課金する課金手段と
を備えることを特徴とする画像形成装置。
【請求項２】
前記著作権情報は、前記読み取り手段による読み取りの解像度に応じた当該画像の著作権料金情報又は前記読み取り手段による読み取りの解像度の最大値の少なくとも１つを含むことを特徴とする請求項１記載の画像形成装置。
【請求項３】
前記読み取られた画像を電子データに変換する変換手段と、前記読み取られた画像を紙に印刷する印刷手段とを備え、前記料金表示手段は、前記読み取られた画像の電子データへの変換に対する著作権料金、及び前記読み取られた画像の紙への印刷に対する著作権料金を夫々算出することを特徴とする請求項１又は２記載の画像形成装置。
【請求項４】
前記著作権情報は、当該画像の電子データへの変換に対する著作権料金情報、及び当該画像の紙への印刷に対する著作権料金情報を含むことを特徴とする請求項３記載の画像形成装置。
【請求項５】
前記著作権情報は、当該画像の電子データへの変換の可否、及び当該画像の紙への印刷の可否を含むことを特徴とすることを特徴とする請求項３又は４記載の画像形成装置。
【請求項６】
前記算出された、前記読み取られた画像の電子データへの変換に対する著作権料金、及び前記読み取られた画像の紙への印刷に対する著作権料金を夫々表示する表示手段と、前記読み取られた画像の電子データへの変換、及び前記読み取られた画像の紙への印刷を、夫々独立して取消す取消し手段とを備えることを特徴とする請求項３乃至５のいずれか１項に記載の画像形成装置。
【請求項７】
画像形成装置の制御方法において、
所定の解像度で画像を読み取る読み取りステップと、
前記読み取られた画像の所定位置から当該画像に設定された著作権情報を取得する取得ステップと、
前記取得された著作権情報に基づいて、前記読み取られた画像の複写に対する著作権料金及び複写料金を算出する算出し表示する表示ステップと、
前記算出された著作権料金及び複写料金を含む課金情報を記憶する課金情報記憶ステップと
を備えることを特徴とする制御方法。
【請求項８】
画像形成装置で実行されるプログラムにおいて、
所定の解像度で画像を読み取る読み取りモジュールと、
前記読み取られた画像の所定位置から当該画像に設定された著作権情報を取得する取得モジュールと、
前記取得された著作権情報に基づいて、前記読み取られた画像の複写に対する著作権料金及び複写料金を算出する算出し表示する表示モジュールと、
前記算出された著作権料金及び複写料金を含む課金情報を記憶し、利用者に通知する課金モジュールと
を備えることを特徴とするプログラム。
【発明の詳細な説明】
【技術分野】
【０００１】
本発明は、画像形成装置、画像形成装置の制御方法、及びプログラムに関し、特に、私用での利用に対して課金することができる画像形成装置、画像形成方法、及び画像形成プログラムに関する。
【背景技術】
【０００２】
従来より、オフィス等に設置されている公用の複写機等の画像形成装置において、社員等が私用で行った印刷に対して当該社員に課金することができる画像形成装置が知られている。
【０００３】
例えば、社員が印刷した文書の文書名を履歴テーブルに記憶し、この文書名から公用の印刷であるか又は私用の印刷であるかを判別したり、印刷データに含まれるキーワードから公用の印刷であるか又は私用の印刷であるかを判別する印刷制御装置及びその課金方法が開示されている（例えば、特許文献１参照）。
【０００４】
また、利用者が、携帯電話等の携帯端末を利用して、特定の複写機を私用の複写に使用するための暗証コードを取得し、当該暗証コードを用いて当該複写機で私用の複写を行い、携帯電話等の通話料金や給料からの控除によって私用の複写の課金を行う複写システムが開示されている（例えば、特許文献２参照）。
【０００５】
更に、社員が複写機を利用する場合に、社員証や携帯電話に内蔵されたＩＣタグに記憶された情報を自動的に複写機に備えられた認証装置に送信し、該認証装置により当該社員の認証を行い、当該社員が指示した複写や印刷等の操作を実行することができる情報処理サービスシステムが開示されている（例えば、特許文献３参照）。
【特許文献１】特開２００３−５０６９１号公報
【特許文献２】特開２００３−３０３３０４号公報
【特許文献３】特開２００２−１３２７２６号公報
【発明の開示】
【発明が解決しようとする課題】
【０００６】
しかしながら、上記特許文献１〜３で開示されている技術では、会社の機密書類等を社内の複写機を用いて私用コピーした場合、機密書類の社外持ち出しには該当しなくなり、個人への課金であるが故に紙やトナーの窃盗罪にも該当しなくなる。社内規則で個人使用での会社文書のコピーを禁止する場合にも、個人使用で会社文書がコピーされたか否かを判別することができない。また、会社で購読している専門雑誌等を社内の複写機で手軽に私用コピーすることができるので、社員が自費で購読する雑誌の発行部数が減ってしまい、雑誌を発行する会社にとっては無視できない影響が生じる。
【０００７】
本発明の目的は、上記課題に鑑みてなされたものであり、著作権料金を課金することができる画像形成装置、画像形成装置の制御方法、及びプログラムを提供することにある。
【課題を解決するための手段】
【０００８】
上述の目的を達成するために、請求項１記載の画像形成装置は、所定の解像度で画像を読み取る読み取り手段と、前記読み取られた画像の所定位置から当該画像に設定された著作権情報を取得する取得手段と、前記取得された著作権情報に基づいて、前記読み取られた画像の複写に対する著作権料金及び複写料金を算出して表示する料金表示手段と、前記算出された著作権料金及び複写料金を課金する課金手段とを備えることを特徴とする。
【０００９】
上述の目的を達成するために、請求項７記載の制御方法は、画像形成装置の制御方法において、所定の解像度で画像を読み取る読み取りステップと、前記読み取られた画像の所定位置から当該画像に設定された著作権情報を取得する取得ステップと、前記取得された著作権情報に基づいて、前記読み取られた画像の複写に対する著作権料金及び複写料金を算出し表示する表示ステップと、前記算出された著作権料金及び複写料金を含む課金情報を記憶する課金情報記憶ステップとを備えることを特徴とする。
【００１０】
上述の目的を達成するために、請求項８記載のプログラムは、画像形成装置で実行されるプログラムにおいて、所定の解像度で画像を読み取る読み取りモジュールと、前記読み取られた画像の所定位置から当該画像に設定された著作権情報を取得する取得モジュールと、前記取得された著作権情報に基づいて、前記読み取られた画像の複写に対する著作権料金及び複写料金を算出し表示する表示モジュールと、前記算出された著作権料金及び複写料金を含む課金情報を記憶し、利用者に通知する課金モジュールとを備えることを特徴とする。
【発明の効果】
【００１１】
本発明によれば、所定の解像度で画像が読み取られ、読み取られた画像の所定位置から当該画像に設定された著作権情報が取得され、取得された著作権情報に基づいて、読み取られた画像の複写に対する著作権料金及び複写料金が算出され、算出された著作権料金及び複写料金が課金されるので、著作権料金を課金することができる。
【発明を実施するための最良の形態】
【００１２】
以下、本発明の実施の形態を図面を参照しながら詳述する。
【００１３】
図１は、本発明の実施の形態に係る印刷システムの全体構成を示すブロック図である。
【００１４】
図１において、印刷システムは、複写機１００と、認証サーバ１１０と、パソコン１２０と、携帯端末１４０とを備え、これらは通信回線１５０を介して互いに接続されている。
【００１５】
パソコン１２０及び携帯端末１４０は、各社員に割り当てられたものであり、複数のパソコン１２０及び複数の携帯端末１４０が通信回線１５０に接続されていてもよい。
【００１６】
複写機１００は、ＩＣタグリーダ４９（図１０参照）を備え、ＩＣタグリーダ４９によりＩＣタグ１３０から情報を読み取る。ＩＣタグ１３０は、各社員が携帯する社員証又は携帯端末１４０に内蔵されている。
【００１７】
複写機１００は、ＨＤ（ハードディスク）４６（図１０参照）を備え、ＨＤ４６は、管理ＤＢ１０１と、スキャン画像データ１０３と、参照用画像データ１０２と、アプリケーション１０４と、課金データ１０５とを記憶している。
【００１８】
認証サーバ１１０は、不図示のＨＤを備え、該ＨＤは、認証ＤＢ１１５を記憶している。
【００１９】
管理ＤＢ１０１は、各種マスタ（社員マスタ、課金マスタ（紙／電子データ別、社用／私用別の複写基本料金）、組織マスタ等）、私用コピーの時間／曜日制限、スキャン画像の保管期限、スキャン画像のアクセス権限情報、当該複写機の設置組織コード、コピージョブ毎の履歴を管理する履歴テーブル（コピージョブＮｏ．、社員コード、枚数、課金区分、年月日時刻）、複写機にアクセス可能な携帯電話等の携帯端末の特定情報等の各種管理テーブル、課金サマリテーブル（社員コード、年月、月別私用コピー課金額）等を含む。
【００２０】
スキャン画像データ１０３は、複写機１００のスキャナ部４８（図１０参照）によりスキャンして取得した画像データを含み、複写機１００のＨＤに一定期間記憶される。参照用画像データ１０２は、スキャン画像データ１０３に含まれる画像データのサムネールデータ（スキャン画像閲覧のインデックス用）を含む。
【００２１】
課金データは、社用コピー及び私用コピーの別に管理番号、コピー区分、使用者、枚数、コピー料金、著作権料、著作権者番号を含む。
【００２２】
アプリケーションは、後述する図４、図５の処理を実行するためのプログラムや、後述する図６〜図９の画面を表示するためのデータを含む。
【００２３】
認証ＤＢ１１５は、社員コード、パスワード、組織コード、社員名、権限コード等を含む。権限コードは、社外からのモバイルアクセスの可否を指定したモバイル区分及び機密情報の関与ランク（参照、印刷、変更）を含む。認証ＤＢ１１５は、認証サーバ１１０が有していてもよく、複写機１００が個別に有していてもよい。
【００２４】
パソコン１２０は、参照用画像データ１０２に含まれる画像データに基づいて、サムネイル画像及びその拡大画像を表示する。また、パソコン１２０は、複写機１００に保存された画像データを取得する。
【００２５】
更に、パソコン１２０は、当該パソコン１２０を操作する社員が複写機１００によりスキャンした画像データの課金区分を１回だけ社用から私用、私用から社用に変更することができる。また、パソコン１２０は、当該パソコン１２０を操作する社員と同一課の他の社員がスキャンした画像データを参照することはできるが、その課金区分を変更することはできない。社員コードや課金区分等の情報は、管理ＤＢ１０１に含まれる。
【００２６】
携帯端末１４０は、私用コピーの場合に限り、当該携帯端末１４０を操作する社員が複写機１００によりスキャンした画像データを複写機１００から受信することができる。この画像データの受信方法は、赤外線、ブルートゥース、無線ＬＡＮ（ＩＰＶ４、ＩＰＶ６）、又は、他のプロトコルでもかまわない。また、外部からアクセス可能である旨の登録情報が管理ＤＢ１０１に記憶されている場合は、ファイアウォール経由で外部から複写機１００の参照用画像データ１０２及びスキャン画像データ１０３にアクセスすることができる。
【００２７】
尚、複写機１００は、複写機能のみを有していてもよく、複数の機能を有する複合機であってもよい。
【００２８】
図１０は、図１における複写機１００の内部構成を示すブロック図である。
【００２９】
図１０において、複写機１００は、ＣＰＵ４１と、ＲＡＭ４２と、ＲＯＭ４３と、ＬＡＮアダプタ４４と、液晶パネル４５と、ＨＤ４６と、プリンタ部４７と、スキャナ部４８と、ＩＣタグリーダ４９とを備え、これらはシステムバス４０を介して互いに接続されている。
【００３０】
ＩＣタグリーダ４９は、複写機１００に内蔵されていてもよく、複写機１００に外付けされるものであってもよい。
【００３１】
図２は、図１におけるパソコン１２０の内部構成を示すブロック図である。
【００３２】
図２において、パソコン１２０は、ＣＰＵ２１と、ＲＡＭ２２と、ＲＯＭ２３と、ＬＡＮアダプタ２４と、ビデオアダプタ２５と、キーボード２６と、マウス２７と、ハードディスク２８と、ＣＤ−ＲＯＭドライブ２９とを備え、これらはシステムバス２０を介して互いに接続されている。
【００３３】
図３は、図１における携帯端末１４０の内部構成を示すブロック図である。
【００３４】
図３において、携帯端末１４０は、ＣＰＵ３１と、ＲＡＭ３２と、ＲＯＭ３３と、ＬＡＮアダプタ３４と、液晶表示部３５と、操作部３６とを備え、これらはシステムバス３０を介して互いに接続されている。
【００３５】
図４は、図１の印刷システムによって実行される認証・複写処理のフローチャートである。
【００３６】
図４において、ステップＳ４０１〜Ｓ４０２はＩＣタグ１３０で実行され、ステップＳ４２１〜Ｓ４４３は複写機１００のＣＰＵ４１の制御の下で実行され、ステップＳ４６１〜Ｓ４６２は認証サーバ１４０の不図示のＣＰＵの制御の下で実行される。
【００３７】
図４において、複写機１００の液晶パネル４５には、不図示の初期画面が表示されている。この初期画面は、コピー枚数設定欄、両面コピー設定ボタン、解像度設定ボタン、白黒／カラー設定ボタン、私用コピーボタン、ＯＫボタン（コピー開始ボタン）等を有する。ＩＣタグ１３０による認証が済んでいない時点では、私用コピーボタンは薄い色で表示され、タッチしても反応しない（インアクティブ）状態にある。
【００３８】
まず、複写機１００は、一定時間間隔でＩＣタグ１３０向けの認証情報要求を送信する（ステップＳ４２１）。
【００３９】
ＩＣタグ１３０を内蔵する社員証又は携帯端末１４０を所持した社員が複写機１００の所定の範囲に近づくと、ＩＣタグ１３０は、複写機１００から送信された認証情報要求を受信し（ステップＳ４０１）、ＩＣタグ１３０に記憶されているシリアルナンバー、社員番号、及びパスワード等の認証情報を複写機１００に送信する（ステップＳ４０２）。
【００４０】
複写機１００は、ＩＣタグリーダ４９によりＩＣタグ１３０から送信された認証情報を受信し（ステップＳ４２２）、ＬＡＮアダプタ４４により受信した認証情報を認証サーバ１１０に送信する（ステップＳ４２３）。
【００４１】
認証サーバ１１０は、認証ＤＢ１１５を照会して、複写機１００から受信した認証情報が認証ＤＢ１１５に登録されているか否かにより当該認証情報を認証し（ステップＳ４６１）、認証結果を複写機１００に送信する（ステップＳ４６２）。
【００４２】
複写機１００は、ＬＡＮアダプタ４４により認証サーバ１１０から送信された認証結果を受信し（ステップＳ４２４）、当該認証情報が認証ＤＢ１１５に登録されており、認証結果がＯＫであれば、液晶パネル４５に表示された初期画面の私用コピーボタンは濃い色（又は別の色）で表示され、アクティブ状態になる。尚、認証サーバ１１０を用いずに、複写機１００において、ＩＣタグ１３０に記憶された社員番号が、当該複写機１００の管理ＤＢ１０１に含まれる設置組織コードに属しているかに基づいて、当該ＩＣタグを有する社員の認証を行ってもよい。ＩＣタグ１３０を用いることにより、簡単な操作で認証を行うことができる。
【００４３】
ここで、私用コピーボタンがタッチされることにより、図６の私用複写画面６００が液晶パネル４５に表示される（ステップＳ４２５）。私用複写画面６００で、枚数、複写モード（紙／電子／両方）、及びスキャン解像度の複写パラメータが入力され、ＯＫボタン６０１がタッチされると（ステップＳ４２６でＹＥＳ）、これらの複写パラメータはＲＡＭ４２のワークエリアに記憶され、コピーモードを社用から私用に変更し、私用モードのコピー画面（不図示）が液晶パネル４５に表示される（ステップＳ４２７）。私用複写画面６００において、「ページ始」及び「ページ終」を入力する代わりに、複写枚数のみを入力してもよい。これにより、私用モードで誤って大量の複写を行うことを防止することができる。
【００４４】
このコピーモードは、ＲＡＭ４２のワークエリアに記憶される。私用モードのコピー画面は前述した初期画面と基本的に同じであるが、私用コピーボタンに代えて終了ボタンが表示されている点でのみ初期画面と異なる。私用モードのコピー画面で終了ボタンがタッチされると、コピーモードを私用から社用に変更し、液晶パネル４５に表示される画面は、私用モードのコピー画面から初期画面に変更される。
【００４５】
次に、私用モードのコピー画面でＯＫボタン（コピー開始ボタン）がタッチされたか否かを判別し（ステップＳ４２８でＹＥＳ）、私用モードのコピー画面でＯＫボタン（コピー開始ボタン）がタッチされたときは、ステップＳ４２９に進む一方、私用モードのコピー画面でＯＫボタン（コピー開始ボタン）がタッチされないときは、ステップＳ４３７に進む。
【００４６】
ステップＳ４２９では、ＣＰＵ４１は、ＲＡＭ４２のワークエリアに記憶された、私用複写画面６００で指定した枚数からコピー済み枚数を引いた数を示すカウンタ残が０であるか否かを判別し、カウンタ残が０でないときは、ステップＳ４３０に進む一方、カウンタ残が０であるときは、ステップＳ４３２に進む。
【００４７】
ステップＳ４３０では、複写機１００は、スキャナ部４８により画像をスキャンし、取得した画像データをＨＤ４６のスキャン画像データ１０３の保留用フォルダに記憶すると共に、ＲＡＭ４２のワークエリアに記憶されたカウンタ残をデクリメントする。
【００４８】
この時点では、スキャンされた画像データはＨＤ４６のスキャン画像データ１０３の保留用フォルダに保存されているが、スキャン画像データ１０３を紙に出力したり、スキャン画像データ１０３をパソコン１２０又は携帯端末１４０から取得又は参照したりすることはできない。
【００４９】
また、ステップＳ４３０では、ＡＤＦ（Auto Document Feeder）を用いてスキャンする場合はカウンタ残が０になるまでステップＳ４３１に進まないが、雑誌や書籍等をページを変えながらスキャンする場合は１ページスキャンする毎にステップＳ４３１に進み、ステップＳ４２８に戻る。
【００５０】
ステップＳ４３１では、スキャンされた画像の所定位置（一般にページの下部）にある著作権情報を有するＱＲコード等のバーコードがＯＣＲ（光学的文字認識）処理され、テキストコードに変換された著作権関連情報をＲＡＭ４２のワークエリアに記憶する。
【００５１】
この著作権関連情報は、書籍のＩＳＢＮや雑誌のコード、名称、ページ、著作者、著作権料（ページ著作権料（社用／私用別）、画像著作権料（ｄｐｉと料金：複数指定可能））、電子データ化可否区分（可／不可）、画像データの許容最大ｄｐｉ等を含む。
【００５２】
尚、ＯＣＲ処理の代わりに、複写対象の書籍や雑誌に内臓されたＩＣタグから著作権情報を読込んで、ＲＡＭ４２のワークエリアに記憶してもよい。
【００５３】
ステップＳ４３２では、ＣＰＵ４１は、後述する図５の課金・著作権情報表示処理を実行して、ステップＳ４３１で取得した著作権関連情報、及び私用複写画面６００で指定された複写パラメータに基づいて著作権料を含む課金額が算出され、図７の料金表示画面７００を液晶パネル４５に表示する。
【００５４】
ステップＳ４３３では、料金表示画面７００でＯＫボタン７０１又は取消ボタン７０３がタッチされたかを判別し、ＯＫボタン７０１及び取消ボタン７０３のいずれもタッチされない間は待機し、ＯＫボタン７０１がタッチされたときは、ステップＳ４３５に進み、取消ボタン７０３がタッチされたときは、ステップＳ４３４に進む。ＯＫボタン７０１又は取消ボタン７０３がタッチされると、液晶パネル４５に表示される画面は、料金表示画面７００から私用モードのコピー画面に変更される。
【００５５】
尚、図７の料金表示画面において、特定の明細行をタッチして表示を反転させた状態で、取消ボタン７０３にタッチすると、表示が反転した明細行のコピーを取り消すことができる。この場合、取消に応じて課金データ１０５の課金情報が修正される。これにより、著作権料金が予想外に高い場合等に、全体のコピーをやり直すことなく、一部を簡単にキャンセルし、もって再コピーを最小限に抑制することができる。
【００５６】
また、料金表示画面７００の転送ボタン７０２がタッチされると、当該社員の社員番号をキーにして管理ＤＢ１０１の社員マスタに記憶されている電子メールアドレスが参照され、料金表示画面７００の表示内容が当該電子メールの本文として作成され、この電子メールアドレスに送信される。
【００５７】
ステップＳ４３４では、ＨＤ４６のスキャン画像データ１０３に含まれる今回スキャンされた分の画像データを削除し、ＨＤ４６に記憶された更新された課金データ１０５を初期化し、ステップＳ４３６に進む。
【００５８】
ステップＳ４３５では、ＨＤ４６のスキャン画像データ１０３の保留用フォルダに含まれる画像データに印刷指定されている場合は、サムネイル用の参照用画像データ１０２を作成してサムネイル用のフォルダに移動し、当該画像データを印刷し、ステップＳ４３６に進む。又は、画像データに電子化が指定されている場合は、サムネイル用の参照用画像データ１０２を作成してサムネイル用のフォルダに移動し、当該画像データを保留用フォルダから電子化データ保留用フォルダに移動し、ステップＳ４３６に進む。
【００５９】
ステップＳ４３６では、私用モードのコピー画面において、終了ボタンがタッチされたか否かを判別し、終了ボタンがタッチされなかったときは、ステップＳ４２８に戻る一方、終了ボタンがタッチされたときは、コピーモードを社用に変更し、液晶パネル４５に初期画面を表示し、本処理を終了する。
【００６０】
ステップＳ４２８の判別の結果、コピーボタンが押下されないときは、終了ボタンが押下されたか否かを判別し（ステップＳ４３７）、終了ボタンが押下されないときは、ステップＳ４２８に戻る一方、終了ボタンが押下されたときは、ステップＳ４３８に進む。
【００６１】
ステップＳ４３８では、今回のコピーで既に１つ以上の画像がスキャン済みであるか否かを判別し、今回のコピーで既に１つ以上の画像がスキャン済みであるときは、ステップＳ４３２に進む一方、まだ１画像もスキャンされていないときは、コピーモードを社用モードに変更し、ＲＡＭ４２のワークエリアをクリアし、本処理を終了する。
【００６２】
尚、本処理において、私用モードで複写された画像のサムネイル画像は、所定期間（例えば、１週間）ＨＤ４６に記憶される。このサムネイル画像は、この画像を複写した社員と同一課の社員のパソコン１２０にのみを表示することができる。
【００６３】
また、本処理において、私用モードで複写された画像の文字データは、ＯＣＲ処理され、当該複写された画像と共に暗号化、アーカイブされ、所定期間（例えば、１ヶ月）ＨＤ４６に記憶される。この文字データは、ＤＶＤ等へ書き出すことができる。また、この文字データの閲覧は、特定の人（例えば、所属長）のみに制限することができる。これにより、会社の機密資料等の社内でのコピーを抑制することができる。
【００６４】
また、私用コピーの利用時間を所定時間（例えば、休憩時間や終業時間前）に限定するようにしてもよい。これにより、会社休日等の私用コピーの利用を制限することができる。
【００６５】
本処理によれば、スキャンされた画像の所定位置にある著作権情報を有するＱＲコード等のバーコードがＯＣＲ処理され、テキストコードに変換された著作権関連情報をＲＡＭ４２のワークエリアに記憶し（ステップＳ４３１）、取得した著作権関連情報、及び私用複写画面６００で指定された複写パラメータに基づいて著作権料を含む課金額が算出される（ステップＳ４３２）ので、著作権料金を課金することができる。
【００６６】
図５は、図４のステップＳ４３２の課金・著作権情報表示処理の詳細フローチャートである。
【００６７】
図５において、ステップＳ５２１〜Ｓ５３３は複写機１００のＣＰＵ４１の制御の下で実行される。
【００６８】
図５において、ＣＰＵ４１は、ＲＡＭ４２のワークエリアを参照して、図６の私用複写画面６００で複写モードに電子データが指定されているか否かを判別し（ステップＳ５２１）、電子データが指定されているときは、ステップＳ５２２に進む一方、電子データが指定されていないときは、ステップＳ５３１に進む。
【００６９】
ステップＳ５２２では、ＲＡＭ４２のワークエリアに記憶された著作権関連情報を照合し、電子データ化可否区分が可であるか否かを判別し（ステップＳ５２３）、電子データ化可否区分が可であるときは、ステップＳ５２４に進む一方、電子データ化可否区分が不可であるときは、ステップＳ５２６に進む。
【００７０】
ステップＳ５２６では、図９のモード変更画面９００を液晶パネル４５に表示し、ＯＫボタン９０１又は取消ボタン９０２がタッチされたか否かを判別し（ステップＳ５２７）、ＯＫボタン９０１がタッチされたときは、ステップＳ５２１に戻る一方、取消ボタン９０２がタッチされたときは、ステップＳ５２８に進む。
【００７１】
ステップＳ５２８では、ＲＡＭ４２のワークエリアに表示用課金情報としてエラーメッセージ（例えば、「コピー実行不可エラー」等）を記憶し、ＲＡＭ４２のワークエリアに記憶されたステータス情報をＮＧに変更し（ステップＳ５２９）、ステップＳ５３７に進む。
【００７２】
ステップＳ５２４では、著作権関連情報に含まれる画像データの許容最大ｄｐｉに「９９９９」（解像度制限なし）以外の値が入っている場合は、私用複写画面６００で指定されたスキャン解像度が許容最大ｄｐｉを超えているか否かを判別し、スキャン解像度が許容最大ｄｐｉを超えているときは、ステップＳ５３０に進む一方、スキャン解像度が許容最大ｄｐｉを超えていないときは、ステップＳ５２５に進む。
【００７３】
ステップＳ５３０では、図８の解像度変更画面８００を液晶パネル４５に表示し、スキャン解像度を許容最大ｄｐｉに変更することの承諾を求め、ＯＫボタン８０１がタッチされたときは、ステップＳ５２４に戻る。このとき、該当するページの著作権が課金されない部分は、スキャンをやり直すことなく、元の指定解像度のまま複写される。
【００７４】
ステップＳ５２５では、著作権関連情報に含まれる電子化データ用著作権料の値を表示用課金情報としてＲＡＭ４２のワークエリアに記憶し、ＲＡＭ４２のワークエリアに記憶された複写パラメータで複写モードに紙及び電子データの両方が指定されているか否かを判別し（ステップＳ５３４）、紙及び電子データの両方が指定されているときは、ステップＳ５３３に進む一方、電子データのみが指定されているときは、ステップＳ５３５に進む。
【００７５】
ステップＳ５２１の判別の結果、図６の私用複写画面６００で複写モードに紙への印刷のみが指定されているときは（ステップＳ５２１でＮＯ）、著作権関連情報に含まれる画像データの許容最大ｄｐｉに「９９９９」（解像度制限なし）以外の値が入っている場合は、私用複写画面６００で指定されたスキャン解像度が許容最大ｄｐｉを超えているか否かを判別し（ステップＳ５３１）、私用複写画面６００で指定されたスキャン解像度が許容最大ｄｐｉを超えているときは、ステップＳ５３２に進む一方、私用複写画面６００で指定されたスキャン解像度が許容最大ｄｐｉを超えていないときは、ステップＳ５３３に進む。
【００７６】
ステップＳ５３２では、図８の解像度変更画面８００を液晶パネル４５に表示し、スキャン解像度を許容最大ｄｐｉに変更することの承諾を求め、ＯＫボタン８０１がタッチされたときは、ステップＳ５３１に戻る。許容最大ｄｐｉを設定することにより、著作権者の利益をよりきめ細やかに保護することができる。尚、スキャン解像度に応じた著作権料金を設定し、スキャン解像度が高いほど著作権料金を高くするように構成されてもよい。また、例えば、低解像度（５０ｄｐｉ程度）の画像は低額とし、１００ｄｐｉ程度ではより高額にし、２００ｄｐｉ以上は複写不可とするような、きめ細かな設定ができるようにしてもよい。また、カラーか白黒かに応じて複写可否や著作権料金が設定されてもよい。
【００７７】
ステップＳ５３３では、著作権関連情報に含まれる紙複写用の著作権料金の値をＲＡＭ４２のワークエリアに表示用課金情報として記憶し、ＲＡＭ４２のワークエリアに記憶されたステータス情報をＯＫに変更し（ステップＳ５３５）、ＲＡＭ４２のワークエリアに記憶された課金情報を更新する（ステップＳ５３６）。
【００７８】
ステップＳ５３７では、今回スキャンした全画像データを処理済みであるか否かを判別し、全画像データを処理済みであるときは、ステップＳ５３８に進む一方、全画像データを処理済みでないときは、ステップＳ５２１に戻る。
【００７９】
ステップＳ５３８では、課金データ１０５に課金情報が追加され、ＲＡＭ４２のワークエリアに記憶された表示用課金情報に基づいて、図７の料金表示画面７００を液晶パネル４５に表示し、本処理を終了する。
【００８０】
尚、本実施の形態において、私用コピーに対して著作権料金を課金する例を説明したが、社用コピーに対しても本実施の形態が適用可能であることは云うまでもない。また、私用コピーと社用コピーとで異なる著作権料金を設定するようにしてもよい。これにより、用途に応じてよりきめ細かく著作権料金を設定することができる。
【００８１】
例えば、私用コピーの著作権料金を低廉にすることで、社用モードで私用のコピーを行い、会社の経費の無駄遣いが生じることを防止することができる。また、私用モードで雑誌等をコピーした場合にも妥当な価格での課金が可能になり、会社／出版社／社員の妥当な利益調整が可能になる。
【００８２】
尚、社員は、パソコン１２０又は携帯端末１４０を用いて複写機１００にアクセスし、課金データ（明細の参照可能）又は管理ＤＢを適宜参照して、当該社員の私用コピーの課金額を適宜確認することができる。
【００８３】
また、通知条件を管理ＤＢ１０１に予め登録することにより、私用コピーの課金額が一定額（例えば、５０００円）を超えた時点で、パソコン１２０又は携帯端末１４０に警告電子メールを通知するように設定することができる。
【００８４】
また、通知間隔を管理ＤＢ１０１に予め登録することにより、所定の間隔（例えば、１週間）で、利用明細と合計課金額をパソコン１２０又は携帯端末１４０に電子メールで通知するように設定することができる。
【００８５】
尚、利用者への最終的な課金方法は、以下の（１）〜（３）のような方法が用いられる。
（１）社員は、複写機１００にＩＣタグ１３０が内蔵された社員証をかざし、私用ボタンを押下して当該社員が認証されてから、私用コピー終了ボタンを押すまでのコピーは、当該社員が私用に用いたものとして課金される。課金額は毎月集計され、当該社員の翌月の給料から差し引かれる。
（２）社員は、食堂等の所定の場所に設置されたカード販売機においてカードを購入し、そのカードを複写機１００が有するスロットに挿入してコピーを利用する。カードにはシリアル番号、元の度数、及び残度数が記録されており、複写機１００は、シリアル番号と残度数の情報をサーバに送信し、サーバは当該情報を記憶する。残度数の推移をチェックすることにより、残度数の改竄を防止することができる。
（３）社員は、食堂等の所定の場所に設置されたコピー権販売機に所定の料金を投入し、ＩＤ、パスワードが印刷された領収書を取得する。このＩＤ、パスワード、金額、及び残度数はサーバに記録される。複写機１００にＩＤ、パスワードを入力すると、サーバの残度数がチェックされ、残度数がある場合、コピーが可能となり、コピー枚数に応じて課金される。
【００８６】
尚、上記（１）〜（３）の課金方法は一例であり、これらに限られるものではない。
【００８７】
また、本実施の形態において、ＩＣタグ１３０から非接触で認証情報を受信して認証を行うとしたが、社員証やコピーカード等のＩＣカードを接触させることにより認証情報を受信するようにしてもよい。
【００８８】
また、本発明の目的は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００８９】
この場合、記憶媒体から読み出されたプログラムコード自体が前述した実施の形態の機能を実現することになり、そのプログラムコード及び該プログラムコードを記憶した記憶媒体は本発明を構成することになる。
【００９０】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００９１】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００９２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００９３】
【図１】本発明の実施の形態に係る印刷システムの全体構成を示すブロック図である。
【図２】図１におけるパソコンの内部構成を示すブロック図である。
【図３】図１における携帯端末の内部構成を示すブロック図である。
【図４】図１の印刷システムによって実行される認証・複写処理のフローチャートである。
【図５】図４のステップＳ４３２の課金・著作権情報表示処理の詳細フローチャートである。
【図６】図４のステップＳ４２５で表示される私用複写画面の一例を示す図である。
【図７】図４のステップＳ４３２で表示される料金表示画面の一例を示す図である。
【図８】図５のステップＳ５３０で表示される解像度変更画面の一例を示す図である。
【図９】図５のステップＳ５２６で表示されるモード変更画面の一例を示す図である。
【図１０】図１における複写機１００の内部構成を示すブロック図である。
【符号の説明】
【００９４】
４１  ＣＰＵ
４３  ＲＡＭ
４３  ＲＯＭ
４４  ＬＡＮアダプタ
４５  液晶パネル
４６  ＨＤ
４７  プリンタ部
４８  スキャナ部
４９  ＩＣタグリーダ
１００  複写機
【図１】
2006189931.tif 000003
【図２】
2006189931.tif 000004
【図３】
2006189931.tif 000005
【図４】
2006189931.tif 000006
【図５】
2006189931.tif 000007
【図６】
2006189931.tif 000008
【図７】
2006189931.tif 000009
【図８】
2006189931.tif 000010
【図９】
2006189931.tif 000011
【図１０】
2006189931.tif 000012